(57)【要約】【課題】ハーメチック端子ユニットを大型化することなく、接続部やケーブルの大型化を図ることができるハーメチック端子、ターミナルブロック、ハーメチック端子ユニットおよび圧縮機を提供することを目的とする。【解決手段】ハーメチック端子ユニット３は、ハーメチック端子１とターミナルブロック２とを備え、ハーメチック端子１に固定される複数のピン１３の一端に設けられるストラップに備えられる接続部１２１に接続される外部ケーブル１６を、高さ方向にそれぞれ離間させることで、外部ケーブル１６を接続部１２１に取り付ける際の立体的な取り回しが容易となり、ハーメチック端子ユニット３を大型化することなく、ストラップや外部ケーブル１６の大型化を図ることができる。【選択図】図６
2019021570.tif 000002
【特許請求の範囲】
【請求項１】
絶縁材料で形成された絶縁部と、
該絶縁部を挿通するように固定され、一端および他端の両端が該絶縁部から突出するように設けられた導電性とされた複数のピンと、
各前記ピンの前記一端に固定され、外部ケーブルとの接続部を有するストラップと、
を備え、
一の前記ストラップの前記接続部は、他の前記ストラップの前記接続部に対して、前記絶縁部から突出する突出高さが異なるハーメチック端子。
【請求項２】
各前記ピンのうち、少なくとも１本の前記ピンの長さが、他の前記ピンの長さと異なることを特徴とする請求項１に記載のハーメチック端子。
【請求項３】
前記絶縁部において、各前記ピンのうち、少なくとも１本の前記ピンの前記一端の前記絶縁部から突出する突出高さが、他の前記ピンの前記一端の突出高さと異なることを特徴とする請求項１に記載のハーメチック端子。
【請求項４】
各前記ストラップのうち、少なくとも１つの前記ストラップの前記ピンの挿通方向の長さが、他の前記ストラップの前記ピンの挿通方向の長さと異なる請求項１に記載のハーメチック端子。
【請求項５】
複数のストラップが挿通される複数の貫通孔と、
各前記ストラップが装着される複数のストラップ装着面と、
を備え、
各前記ストラップ装着面のうち、少なくとも１つの前記ストラップ装着面の傾斜角度が、他の前記ストラップ装着面の傾斜角度と異なるターミナルブロック。
【請求項６】
請求項１ないし４のいずれかに記載のハーメチック端子と、
該ハーメチック端子に固定され、各前記ストラップが挿通される複数の貫通孔と、各前記ストラップが装着される複数のストラップ装着面を有するターミナルブロックと、
を備え、
各前記ストラップ装着面のうち、少なくとも１つの前記ストラップ装着面の高さが、他の前記ストラップ装着面の高さと異なり、各前記ストラップ装着面によって各前記接続部の突出高さが設定されるハーメチック端子ユニット。
【請求項７】
請求項５に記載のターミナルブロックと、
絶縁材料で形成された絶縁部と、該絶縁部を挿通するように固定され、一端および他端の両端が該絶縁部から突出するように設けられた導電性とされた複数のピンと、各前記ピンの前記一端に固定され、外部ケーブルとの接続部を有するストラップと、を有するハーメチック端子と、
を備え、
各前記ストラップ装着面によって各前記接続部の傾斜角度が設定されるハーメチック端子ユニット。
【請求項８】
前記ハーメチック端子に備えられる各前記ピンが、前記絶縁部に挿通された挿通方向から各前記ストラップを平面視した場合に、各前記ストラップに設けられる各前記接続部は、一方向側に向く傾斜角度を有するように折り曲げられている請求項６または７に記載のハーメチック端子ユニット。
【請求項９】
請求項６ないし８のいずれかに記載のハーメチック端子ユニットを備えることを特徴とする圧縮機。
【発明の詳細な説明】
【技術分野】
【０００１】
本発明は、ハーメチック端子、ターミナルブロック、ハーメチック端子ユニットおよび圧縮機に関する。
【背景技術】
【０００２】
圧縮機などの気密性を要するハウジング内部に通電する際の手段として、ハーメチック端子が知られている。このようなハーメチック端子は、外部ケーブルとハーメチック端子とが接続される接続部を介して、外部からの電力をハウジング内部に供給する。
この際、外部ケーブルの取り回しを容易にするために、平面的に接続部の配置を変化させて、外部ケーブルを任意の方向に延出させる方法が開示されている（特許文献１）。
【先行技術文献】
【特許文献】
【０００３】
【特許文献１】特開２０１２−８２７７６号公報
【発明の概要】
【発明が解決しようとする課題】
【０００４】
圧縮機は小型大容量化の傾向にあり、それに伴い、外部から電力を供給するケーブルや接続端子に流れる電流は増大化している。そのため、ケーブルの通電径を拡大する必要があり、その際には、太いケーブルが入るハーメチック端子ユニットが必要になり、ハーメチック端子ユニットの大型化を招く虞がある。
【０００５】
本発明は、このような事情に鑑みてなされたものであって、ハーメチック端子ユニットを大型化することなく、外部ケーブルとの接続部やケーブルの大型化に対応することができるハーメチック端子、ハーメチック端子ユニットおよび圧縮機を提供することを目的とする。
【課題を解決するための手段】
【０００６】
上記課題を解決するために、本発明のハーメチック端子、ターミナルブロック、ハーメチック端子ユニットおよび圧縮機は以下の手段を採用する。
すなわち、本発明に係るハーメチック端子は、絶縁材料で形成された絶縁部と、該絶縁部を挿通するように固定され、一端および他端の両端が該絶縁部から突出するように設けられた導電性とされた複数のピンと、各前記ピンの前記一端に固定され、外部ケーブルとの接続部を有するストラップと、を備え、一の前記ストラップの前記接続部は、他の前記ストラップの前記接続部に対して、前記絶縁部から突出する突出高さが異なることを特徴とする。
【０００７】
ハーメチック端子は、絶縁部から両端が突出するように絶縁部に固定された複数の導電性のピンが設けられている。各ピンの一端には、外部ケーブルとの接続部を有するストラップが固定されている。
一のストラップの接続部は、他のストラップの接続部に対して絶縁部から突出する突出高さが異なる。これにより、一のストラップの接続部と他のストラップの接続部とを突出高さ方向にて離間させることができ、外部ケーブルを接続部に取り付ける際の立体的な取り回しが容易となる。つまり、ストラップやケーブルの大型化を実施するとき、ストラップやケーブルが設置されるスペースを平面上だけではなく立体的にも確保できる。したがって、ピン同士の間隔を増大させる必要がなく、ハーメチック端子を大型化することなく、ストラップやケーブルの大型化を図ることができる。
【０００８】
また、各前記ピンのうち、少なくとも１本の前記ピンの長さが、他の前記ピンの長さと異なることを特徴とする。
【０００９】
絶縁部に挿通された複数のピンのうち、一のピンの長さが、他のピンの長さと異なる。これにより、一のピンの一端に固定されたストラップの接続部と、他のピンの一端に固定されたストラップの接続部とを突出高さ方向にて離間させることができる。
【００１０】
また、前記絶縁部において、各前記ピンのうち、少なくとも１本の前記ピンの前記一端の前記絶縁部から突出する突出高さが、他の前記ピンの前記一端の突出高さと異なることを特徴とする。
【００１１】
絶縁部に挿通された複数のピンのうち、一のピンの一端の突出高さが、他のピンの一端の突出高さと異なる。これにより、一のピンの一端に固定されたストラップの接続部と、他のピンの一端に固定されたストラップの接続部とを突出高さ方向にて離間させることができる。
なお、各ピンの長さは、均一であっても不均一であってもよく、各ピンの長さが均一である場合、用意するピンは１種類でよく、部品点数の削減などの合理化を図ることができる。
【００１２】
また、各前記ストラップのうち、少なくとも１つの前記ストラップの前記ピンの挿通方向の長さが、他の前記ストラップの前記ピンの挿通方向の長さと異なることを特徴とする。
【００１３】
絶縁部に挿通された複数のピンの一端に固定された各ストラップのうち、一のストラップのピンの挿通方向の長さが、他のストラップのピンの挿通方向の長さと異なる。これにより、ピンの絶縁部から突出する突出高さを変更することなく、一のストラップの接続部と他のストラップの接続部とを突出高さ方向にて離間させることがでる。
【００１４】
本発明に係るターミナルブロックは、複数のストラップが挿通される複数の貫通孔と、前記外部ケーブルが載置され、各前記ストラップと前記外部ケーブルが装着される複数のストラップ装着面と、を備え、各前記ストラップ装着面のうち、少なくとも１つの前記ストラップ装着面の傾斜角度が、他の前記ストラップ装着面の傾斜角度と異なるターミナルブロック。
【００１５】
ターミナルブロックに設けられた各ストラップ装着面のうち、少なくとも１つのストラップ装着面の傾斜角度が、他のストラップ装着面の傾斜角度と異なる。外部ケーブルは傾斜した各ストラップ装着面に沿って載置されるため、外部ケーブルの延出先にて、外部ケーブルを高さ方向にそれぞれ離間することができる。したがって、ケーブルが設置されるスペースを平面上だけではなく立体的にも確保でき、外部ケーブルの立体的な取り回しが容易となる。
【００１６】
本発明に係るハーメチック端子ユニットは、上述したハーメチック端子と、該ハーメチック端子に固定され、各前記ストラップが装着される複数のストラップ装着面を有するターミナルブロックとを備え、各前記ストラップ装着面のうち、少なくとも１つの前記ストラップ装着面の高さが、他の前記ストラップ装着面の高さと異なり、各前記ストラップ装着面によって各前記接続部の突出高さが設定されていることを特徴とする。
【００１７】
ハーメチック端子ユニットは、ハーメチック端子と、各ストラップが装着されるストラップ装着面のうち、少なくとも１つのストラップ装着面の高さが、他のストラップ装着面の高さと異なるストラップ装着面を有するターミナルブロックとを備えている。これにより、一のストラップの接続部と他のストラップの接続部とは、突出高さ方向にて離間された状態で位置決めされ、ストラップ装着面上で外部ケーブルと接続される。
【００１８】
本発明に係るハーメチック端子ユニットは、上述したターミナルブロックと、絶縁材料で形成された絶縁部と、該絶縁部を挿通するように固定され、一端および他端の両端が該絶縁部から突出するように設けられた導電性とされた複数のピンと、各前記ピンの前記一端に固定され、外部ケーブルとの接続部を有するストラップと、を有するハーメチック端子と、を備え、各前記ストラップ装着面によって各前記接続部の傾斜角度が設定されていることを特徴とする。
【００１９】
各ストラップ装着面のうち、少なくとも１つのストラップ装着面の傾斜角度が、他のストラップ装着面の傾斜角度と異なるターミナルブロックに、ハーメチック端子が備えられる。これにより、ストラップ装着面の傾斜角度によって外部ケーブルを高さ方向にそれぞれ離間できるので、ハーメチック端子に備えられるピンやストラップの寸法を変更することなく、外部ケーブルの立体的な取り回しが容易となる。
【００２０】
本発明に係るハーメチック端子ユニットは、前記ハーメチック端子に備えられる各前記ピンが、前記絶縁部に挿通された挿通方向から各前記ストラップを平面視した場合に、各前記ストラップに設けられる各前記接続部は、一方向側に向く傾斜角度を有するように折り曲げられていることを特徴とする。
【００２１】
絶縁部に挿通された各ピンの一端に固定された各ストラップに設けられる各接続部は、各ストラップを平面視した場合、一方向側に向く傾斜角度を有するように折り曲げられている。これにより、接続部が折り曲げられる一方向側とは逆方向側にスペースを確保でき、かつ、外部ケーブルを接続部に取り付ける際の立体的な取り回しが容易となる。
【００２２】
本発明に係る圧縮機は、上述したハーメチック端子ユニットを備えることを特徴とする。
【００２３】
圧縮機は、上述したハーメチック端子ユニットを備える。これにより、ハーメチック端子を大型化することなく、ストラップやケーブルの大型化を図りながら、電気を供給することができる。
【発明の効果】
【００２４】
本発明によるハーメチック端子、ターミナルブロック、ハーメチック端子ユニットおよび圧縮機は、接続部や外部ケーブルを高さ方向にそれぞれ離間させることで、外部ケーブルを接続部に取り付ける際の立体的な取り回しが容易となり、ハーメチック端子ユニットを大型化することなく、接続部やケーブルの大型化に対応することができる。
【図面の簡単な説明】
【００２５】
【図１】本発明の第１実施形態に係るハーメチック端子を示した正面図である。
【図２】図１のハーメチック端子を示した平面図である。
【図３】図１のハーメチック端子と対になるターミナルブロックを示した平面図である。
【図４】図３のターミナルブロックを示した正面図である。
【図５】図１のハーメチック端子のストラップが折り曲げられた状態のハーメチック端子ユニットを示した平面図である。
【図６】図５のハーメチック端子ユニットを示した正面図である。
【図７】本発明の第２実施形態に係るハーメチック端子を示した正面図である。
【図８】本発明の第３実施形態に係るハーメチック端子を示した正面図である。
【図９】本発明の第４実施形態に係るターミナルブロックを示した平面図である。
【図１０】本発明の第４実施形態に係るターミナルブロックを示した正面図である。
【図１１】図９の切断線Ａ−Ａにおける断面図である。
【図１２】図９の切断線Ｂ−Ｂにおける断面図である。
【図１３】本発明の第５実施形態に係り、ハーメチック端子のストラップが折り曲げられた状態のハーメチック端子ユニットを示した平面図である。
【図１４】図１３のハーメチック端子ユニットを示した正面図である。
【図１５】ハーメチック端子を備えた圧縮機を示した側面図である。
【発明を実施するための形態】
【００２６】
以下に、本発明の一実施形態に係るハーメチック端子、ターミナルブロック、ハーメチック端子ユニットおよび圧縮機について、図面を参照して説明する。
【００２７】
〔第１実施形態〕
図１５には、ハーメチック端子１Ａが取り付けられた圧縮機４が示されている。圧縮機４は、例えばスクロール圧縮機とされており、空気調和装置等の冷凍サイクルを構成する機器として用いられる。圧縮機４の金属製のハウジング４１内に、固定スクロールおよび旋回スクロールを備えた圧縮機構と、旋回スクロールを駆動する電動モータとが設けられている。圧縮機４は、吸入管４２から吸い込んだ冷媒を圧縮機構によって圧縮し、吐出ポート４３から圧縮後の冷媒を外部へ吐出する。ハーメチック端子１Ａは、冷媒が充填された圧縮機４内の電動モータへ電力を供給するために用いられる。
【００２８】
図１に示すように、ハーメチック端子１Ａは、圧縮機４のハウジング４１に対して固定されたケーシング１４と、ケーシング１４内に設けられた絶縁部１１（図２参照）と、絶縁部１１に対して固定された３本のピン１３とを備えている。３本のピン１３は、三相電源の各相に対応している。なお、図１において、ハウジング４１の下側が圧縮機４の内部すなわち冷媒側となり、ハウジング４１の上側が圧縮機４の外部すなわち大気側となる。
【００２９】
ケーシング１４は、例えば円形断面を有する筒形状とされている。絶縁部１１は、樹脂やガラス等の絶縁材料がケーシング１４内に充填固化されて形成されている。
【００３０】
各ピン１３は、金属等の導電材料とされた棒状とされており、それぞれが離間した状態で絶縁部１１に対して固定されている。各ピン１３の長手方向における中間部が絶縁部１１に対して固定されている。これにより、ピン１３の一端１３ａ（図１において上端）および他端１３ｂ（図１において下端）の両端は、絶縁部１１から突出している。
【００３１】
ピン１３の一端１３ａには、ストラップ１２が固定されている。ストラップ１２は、ピン１３の一端１３ａよりも上方に位置する接続部１２１と、ピン１３の一端１３ａに固定された固定部１２２とを備えている。接続部１２１には、給電側となる外部ケーブル１６が接続される。固定部１２２は、ピン１３の一端１３ａに溶接等によって固定される。これにより、ストラップ１２とピン１３とが一体となり電気的に接続される。
【００３２】
複数のピン１３のうち、第１ピン１３Ａの長さが、他の第２ピン１３Ｂおよび第３ピン１３Ｃの長さよりも長くなっている。これにより、第１ピン１３Ａの一端１３ａが、第２および第３ピン１３Ｂ，１３Ｃの一端１３ａよりも上方に位置している。これに伴い。第１ピン１３Ａに取り付けられた第１ストラップ１２Ａは、第２および第３ピン１３Ｂ，１３Ｃに取り付けられた第２及び第３ストラップ１２Ｂ，１２Ｃよりも上方に位置している。
なお、以下の説明では、ピン１３を区別して説明する必要がある場合は、符号１３Ａ，１３Ｂ，１３Ｃを使用し、各ピン１３に共通の事項の場合には単に符号１３を用いる。ストラップ１２に付す符号１２Ａ，１２Ｂ，１２Ｃについても同様である。
【００３３】
ピン１３の他端１３ｂは、ハウジング４１内に設けた電気モータと電気的に接続される。これにより、導電性を有するハウジング４１と電気的に絶縁された状態で通電可能となる。
【００３４】
図２に示すように、ハーメチック端子１Ａを平面視した場合、絶縁部１１の中心点Ｏから各ピン１３へ向かう方向をα，β，γとするとき、各ストラップ１２の幅方向は、各方向α，β，γに略直交して、かつ、各方向α，β，γとが互いに成す角がほぼ等しくなるように即ち１２０°間隔で、各ピン１３と各ストラップ１２とが設けられている。なお、図２においては、中心点Ｏを通り水平方向に延在する水平方向中心線Ｘと鉛直方向に延在する鉛直方向中心線Ｙのうち、鉛直方向中心線Ｙの下向きを方向αとする。
【００３５】
図３には、上述したハーメチック端子１Ａが接続されるターミナルブロック２Ａが示されている。ターミナルブロック２Ａには、矩形断面とされた３つの各貫通孔２２が形成されており、それぞれの貫通孔２２に対して各ストラップ１２が挿通される。また、３つの各ストラップ装着面２１が形成されており、各ストラップ装着面２１に向かって各ストラップ１２に設けられる各接続部１２１が折り曲げられる。
【００３６】
なお、ストラップ装着面２１を区別して説明する必要がある場合は、符号２１Ａ，２１Ｂ，２１Ｃを使用し、各ストラップ装着面２１に共通の事項の場合には単に符号２１を用いる。ここで、第１ストラップ１２Ａに対応するストラップ装着面２１を第１ストラップ装着面２１Ａ、第２ストラップ１２Ｂに対応するストラップ装着面２１を第２ストラップ装着面２１Ｂ、第３ストラップ１２Ｃに対応するストラップ装着面２１を第３ストラップ装着面２１Ｃとする。
【００３７】
図５に示すように、ハーメチック端子１Ａに対してターミナルブロック２Ａを取り付けることによって、ハーメチック端子ユニット３が構成される。
各貫通孔２２から突出された各ストラップ１２の先端側（各接続部１２１）が、各方向α，β，γ（図２参照）にそれぞれ折り曲げられる。これにより、各ストラップ１２の各接続部１２１が放射方向を向くように配置される。折り曲げられた各接続部１２１は、ターミナルブロック２Ａに設けられたストラップ装着面２１上に載置された状態で、図示しないビスなどの固着具によって、外部ケーブル１６と結線される。（結線された様子を、第１ストラップ装着面２１Ａに示す。）これにより、ハーメチック端子ユニット３と外部ケーブル１６とが一体となり、外部ケーブル１６から圧縮機４のハウジング４１の内部に給電が可能となる。
【００３８】
図４および図６に示すように、第１ストラップ１２Ａは、第２および第３ストラップ１２Ｂ，１２Ｃよりも突出高さが高い位置に設けられているので、第１ストラップ１２Ａに対応する第１ストラップ装着面２１Ａは、第２および第３ストラップ１２Ｂ，１２Ｃに対応する第２および第３ストラップ装着面２１Ｂ，２１Ｃよりも高い位置に設定されている。そして、各ストラップ装着面２１によって、外部ケーブル１６の高さが設定される。
【００３９】
本実施形態によれば、以下の作用効果を奏する。
複数のあるピン１３のうち、第１ピン１３Ａの長さが、第２および第３ピン１３Ｂ、１３Ｃの長さと異なることとした。これにより、複数のピン１３の一端１３ａに固定される各ストラップ１２の各接続部１２１に接続される外部ケーブル１６の突出高さのうち、第１ピン１３Ａに対応する接続部１２１の突出高さが、第２および第３ピン１３Ｂ，１３Ｃに対応する接続部１２１の突出高さと異なり、突出高さ方向にて接続部１２１を離間させることができる。したがって、突出高さ方向に離間した分だけ各接続部１２１同士の間隔が増大するため、各接続部１２１に接続される外部ケーブル１６同士の間隔も増大することになる。このため、突出高さ方向に離間していない場合と比較して、通電径を拡大した外部ケーブル１６の立体的な取り回しが容易になる。つまり、ストラップ１２や外部ケーブル１６の大型化を実施するとき、ストラップ１２や外部ケーブル１６が設置されるスペースを平面上だけではなく立体的にも確保できる。これにより、ピン１３同士の間隔を増大させることなくストラップ１２や外部ケーブル１６の大型化を図ることができる。
【００４０】
なお、ハーメチック端子１Ａを平面視した際のピン１３とストラップ１２の配置は、上記に記載の配置に限らず適宜変更してもよい。
【００４１】
〔第２実施形態〕
次に、本発明の第２実施形態に係るハーメチック端子１Ｂについて説明する。本実施形態は、第１実施形態に対して、ピン１３を絶縁部１１から突出させる形態が異なり、その他の点については同様である。したがって、第１実施形態と異なる点についてのみ説明し、その他は同一の符号を用いてその説明を省略する。
【００４２】
図７には、第２実施形態に係るハーメチック端子１Ｂが示されている。各ピン１３の長さは略同一とされている。ピン１３が絶縁部１１に対して固定される固定位置は、第１ピン１３Ａと、第２および第３ピン１３Ｂ，１３Ｃとで異なるように設定されている。具体的には、第１ピン１３Ａの突出高さが第２および第３ピン１３Ｂ，１３Ｃの突出高さよりも高くなるように絶縁部１１に対して固定されている。
【００４３】
本実施形態によれば、各ピン１３の長さが均一とされているので、用意するピンは１種類でよく、部品点数の削減などの合理化を図りながら、各ピン１３に対応する接続部１２１同士を、突出高さ方向に離間できる。
【００４４】
〔第３実施形態〕
次に、本発明の第３実施形態に係るハーメチック端子１Ｃについて説明する。本実施形態は、第１実施形態または第２実施形態に対して、ピン１３の一端１３ａに固定されるストラップ１２の形態が異なる。その他の点については同様である。したがって、第１実施形態および第２実施形態と異なる点についてのみ説明し、その他は同一の符号を用いてその説明を省略する。
【００４５】
図８には、第３実施形態に係るハーメチック端子１Ｃが示されている。第１ピン１３Ａに対応する第１ストラップ１２Ａの長さが、第２および第３ピン１３Ｂ，１３Ｃに対応する第２および第３ストラップ１２Ｂ，１２Ｃよりも長くされている。
したがって、本実施形態によれば、第１ピン１３Ａの長さや突出方向の固定位置に関係なく、第１ピン１３Ａに対応する接続部１２１の突出高さと、第２および第３ピン１３Ｂ，１３Ｃに対応する接続部１２１の突出高さとを、突出高さ方向にて離間させることができる。
【００４６】
〔第４実施形態〕
次に、本発明の第４実施形態に係るハーメチック端子ユニットについて説明する。本実施形態に係るハーメチック端子ユニットに取り付けられるターミナルブロック２Ｂに設けられる各ストラップ装着面２１のうち、第１ストラップ１２Ａに対応する第１ストラップ装着面２１Ａの高さが、第２および第３ストラップ１２Ｂ，１２Ｃに対応する第２および第３ストラップ装着面２１Ｂ，２１Ｃの高さと異なる。
【００４７】
図９には、第４実施形態に係るハーメチック端子ユニットに取り付けられるターミナルブロック２Ｂが示されている。図１０には、ターミナルブロック２Ｂの正面図が示されている。図１１には、図９の切断線Ａ−Ａにおける断面図が示されている。図１２には、図９の切断線Ｂ−Ｂにおける断面図が示されている。
【００４８】
図１１に示した第１ストラップ装着面２１Ａは、水平面に対して傾斜角度θ１を有している。一方、図１２に示した第２ストラップ装着面２１Ｂは、水平面に対してθ１とは異なる傾斜角度θ２を有している。すなわち、ストラップ装着面２１ごとに傾斜角度が異なる。そして、第１および第２ストラップ装着面２１Ａ，２１Ｂには、外部ケーブル１６が載置されている。例えば、図１１に示したように第１ストラップ装着面２１Ａは端部側（同図において右側）が水平面に対して上方に向かうように傾斜させ、図１２に示したように第２ストラップ装着面２１Ｂおよび第３ストラップ装着面２１Ｃは端部側（同図において右側）が水平面に対して下方に向かうように傾斜させる。なお、各ストラップ装着面２１Ａ，２１Ｂ，２１Ｃの全てを上方又は下方に向かうようにしても良い。
ただし、ピン１３が挿通される貫通孔２２の上端の高さ位置は、各ストラップ装着面２１Ａ，２１Ｂ，２１Ｃにおいて同等とすることが好ましい。これにより、各ピン１３の長さが同等とされた一般的に入手可能なハーメチック端子を用いることができる。
【００４９】
図１０に示すように、第１ストラップ１２Ａに対応する第１ストラップ装着面２１Ａが、第２および第３ストラップ１２Ｂ，１２Ｃに対応する第２および第３ストラップ装着面２１Ｂ，２１Ｃよりも高い位置になるように、各ストラップ装着面２１の傾斜角度が設定されている。これにより、各ストラップ装着面２１に載置さる外部ケーブル１６をそれぞれ高さ方向に離間させることができる。
【００５０】
本実施形態によれば、第１実施形態ないし第３実施形態のように、ハーメチック端子１を構成する部品の寸法を変更させることなく、ストラップ装着面２１の傾斜角度によって、外部ケーブル１６の高さをそれぞれ離間させることができる。
【００５１】
〔第５実施形態〕
次に、本発明の第５実施形態に係るハーメチック端子ユニット３Ｅについて説明する。本実施形態は、第１実施形態ないし第４実施形態に対して、ピン１３の一端１３ａに固定されたストラップ１２に設けられる接続部１２１が折り曲げられる方向が異なる。その他の点については同様である。したがって、第１実施形態ないし第４実施形態と異なる点についてのみ説明し、その他は同一の符号を用いてその説明を省略する。
【００５２】
図１３には、第５実施形態に係るハーメチック端子ユニット３Ｅが示されている。各接続部１２１は、同図に示すように平面視した場合に、一方向側（同図において下方向）に向く傾斜角度を有するように折り曲げられている。具体的には、第１ピン１３Ａに固定された接続部１２１が折り曲げられた方向α（図２参照）側に傾斜角度を有するように、他の接続部１２１が、略ハの字になるように折り曲げられている。
本実施形態によれば、第１ピン１３Ａに固定された第１ストラップ１２Ａに設けられる接続部１２１が折り曲げられた方向αとは逆方向側（同図において上方向側）にスペースを確保でき、かつ、通電径を拡大した外部ケーブル１６の取り回しが容易になる。図１４には、図１３に示すハーメチック端子ユニット３Ｅを正面視した図を示す。
なお、本実施形態は、第１実施形態ないし第４実施形態と組み合わせることができる。
【００５３】
ここで、全ての実施形態において、各ストラップ装着面２１の高さの関係は、上記記載の関係に限らず適宜変更してもよい。例えば、第１ストラップ装着面２１Ａが、第２および第３ストラップ装着面２１Ｂ，２１Ｃよりも低い位置になるように傾斜角度が設定されてもよいし、すべてのストラップ装着面２１の高さが不均一になるように傾斜角度が設定されてもよい。また、これに対応してハーメチック端子のピン１３やストラップ１２の寸法を変更できることは言うまでもない。
【符号の説明】
【００５４】
１（１Ａ、１Ｂ、１Ｃ）  ハーメチック端子
２（２Ａ、２Ｂ）  ターミナルブロック
３（３Ｅ）  ハーメチック端子ユニット
４  圧縮機
１１  絶縁部
１２（１２Ａ、１２Ｂ、１２Ｃ）  ストラップ
１３（１３Ａ、１３Ｂ、１３Ｃ）  ピン
１３ａ  一端
１３ｂ  他端
１４  ケーシング
１６  外部ケーブル
２１（２１Ａ、２１Ｂ、２１Ｃ）  ストラップ装着面
２２  貫通孔
４１  ハウジング
１２１  接続部
１２２  固定部
【図１】
2019021570.tif 000003
【図２】
2019021570.tif 000004
【図３】
2019021570.tif 000005
【図４】
2019021570.tif 000006
【図５】
2019021570.tif 000007
【図６】
2019021570.tif 000008
【図７】
2019021570.tif 000009
【図８】
2019021570.tif 000010
【図９】
2019021570.tif 000011
【図１０】
2019021570.tif 000012
【図１１】
2019021570.tif 000013
【図１２】
2019021570.tif 000014
【図１３】
2019021570.tif 000015
【図１４】
2019021570.tif 000016
【図１５】
2019021570.tif 000017